(57)【要約】【課題】防水性を確保できると共に補強部材同士を高強度に互いに連結できる。【解決手段】壁パネル１は、例えば板状のハニカム部材からなる芯材２の表面及び側面に防水性の表面材３を被覆した。壁パネル１の裏面の両端部に例えば角柱状の補強フレーム６を固定した。補強フレーム６は壁パネル１の小口面１ａと面一に設置した。２つの壁パネル１の連結構造において、壁パネル１の小口面１ａ同士と補強フレーム６の側面同士を当接させた状態で、補強フレーム６同士にねじ７を締め込んで固定した。【選択図】図２
2018053528.tif 000002
【特許請求の範囲】
【請求項１】
芯材の一方の面及び小口面に表面材が被覆されたパネル本体と、
前記パネル本体の一方の面に対向する他方の面の端部に固定されていて前記小口面と面一または前記小口面から外側に突出している補強部材とを
備えたことを特徴とする壁パネル。
【請求項２】
前記補強部材は前記パネル本体の端部から外側に突出して固定され、隣り合う前記パネル本体の前記補強部材同士を当接させて結合部材で連結可能とした請求項１に記載された壁パネル。
【請求項３】
前記補強部材は凹部を有していて前記パネル本体に埋設され、隣り合う前記パネル本体の前記補強部材同士を前記凹部内で結合部材によって連結可能とした請求項１に記載された壁パネル。
【発明の詳細な説明】
【技術分野】
【０００１】
本発明は、例えばユニットバス等の空間ユニットの仕切り面や壁面等に使用可能な壁パネルに関する。
【背景技術】
【０００２】
従来、浴室等に用いられる壁パネルとして、例えば特許文献１に記載されたものが提案されている。この壁パネルは平板状のハニカム構造体の表面側にケイ酸カルシウム材と化粧紙を積層した表面材を固着し、裏面側に繊維入り強化紙からなる薄板を接着している。しかも、壁パネルのハニカム構造体の両側端部には補強部材としてパネルフレームが固着されている。
パネルフレームはケイ酸カルシウム材と薄板の間に嵌合されており、壁パネル内の端部に埋設されて小口面を形成している。裏打ち材としてハニカム構造体を採用したことで壁パネルの反りや撓みを抑制することができるとしている。
【先行技術文献】
【特許文献】
【０００３】
【特許文献１】特開平８−２２６１８７号公報
【発明の概要】
【発明が解決しようとする課題】
【０００４】
しかしながら、上述した特許文献１に記載された壁パネルは、小口面にパネルフレームを埋設したため壁パネルの伸縮や反り等の抑制効果はあるものの、小口面に表面材が被覆されていないためにこの部分に防水性がなく、小口面で他の壁パネルと連結した場合に連結部の防水効果が小さいという欠点もあった。そのため、連結部を被覆するための目地材が別途必要であり煩雑であった。
更に、パネルフレームは壁パネルの端部に埋設されているために、壁パネル同士を連結する際に別途連結用の追加部材を設置する必要であった。
【０００５】
本発明は、このような課題に鑑みてなされたものであって、防水性を確保できると共に補強部材同士を高強度に互いに連結できるようにした壁パネルを提供することを目的とする。
【課題を解決するための手段】
【０００６】
本発明による壁パネルは、芯材の一方の面及び小口面に表面材が被覆されたパネル本体と、パネル本体の一方の面に対向する他方の面の端部に固定されていて小口面と面一または小口面から外側に突出している補強部材とを備えたことを特徴とする。
本発明によれば、壁パネルは芯材の一方の面と小口面とを防水性を備えた表面材で覆っているため、壁パネル同士を小口面で連結する際に連結部の防水効果が高い。しかも、補強部材は剛性が高く壁パネルの熱による伸縮や反りや歪み等を抑制できる上に、壁パネル同士を連結する際に補強部材同士で連結することができる。
【０００７】
また、補強部材はパネル本体の端部から突出して固定され、隣り合うパネル本体の補強部材同士を当接させて結合部材で連結可能とすることができる。
本発明では、補強部材がパネル本体の端部から突出しているため、壁パネル同士を連結する際に壁パネルの小口面に寸法や形状等の誤差があったとしても補強部材同士を当接させて位置決めして互いに連結することができる。
【０００８】
また、補強部材は凹部を有していてパネル本体に埋設され、隣り合うパネル本体の補強部材同士を凹部内で結合部材によって連結可能としてもよい。
本発明では、壁パネル同士を連結する際に、端部に埋設した凹部同士を結合部材で連結できる上に、補強部材が壁パネルの端部に埋設されているため、配管等の他の部材の取り付けの邪魔にならない。しかも、壁パネルの結合部材を補強部材の凹部内に設置できるため、外観上の見栄えがよい。
【発明の効果】
【０００９】
本発明による壁パネルによれば、芯材の一方の面及び小口面が表面材で被覆されているために小口面を含めて防水性が高く、しかも補強部材によって壁パネルの熱伸縮や反り等を防止できる上に壁パネル同士を連結できる。
【図面の簡単な説明】
【００１０】
【図１】本発明の第一実施形態による壁パネルの断面図である。
【図２】壁パネル同士の連結構造を示す要部断面図である。
【図３】内部を一部破断して示す壁パネルの芯材の斜視図である。
【図４】第二実施形態による壁パネルの連結構造を示すものであり、（ａ）は連結前の要部構成図、（ｂ）は同図（ａ）の拡大図、（ｃ）は変形例の図である。
【図５】（ａ）は図４に示す壁パネルの連結状態を示す図、（ｂ）は同図（ａ）の拡大図、（ｃ）は変形例の図である。
【図６】第三実施形態による壁パネルの断面図である。
【図７】図６に示す壁パネル同士の連結構造を示す要部断面図である。
【図８】第三実施形態による壁パネルを示すものであり、（ａ）はその断面図、（ｂ）は壁パネルの連結構造を示す要部断面図、（ｃ）は壁パネルの別の連結構造を示す要部断面図である。
【図９】壁パネルの変形例を示す要部断面図である。
【図１０】（ａ）は壁パネルの他の変形例を示す図、（ｂ）はヒンジ部の拡大図、（ｃ）は壁パネルを組み立てた状態の部分平面図である。
【発明を実施するための形態】
【００１１】
以下、本発明の実施形態による壁パネル１を添付図面によって説明する。
図１乃至図３は本発明の第一実施形態による壁パネル１を示すものである。図１において、本実施形態による壁パネル１は例えばユニットバス等に設置する壁面等を構成する。壁パネル１は例えば略四角形板状に形成されており、略板状の芯材２の一方の表面２ａに防水性を有するシート状の表面材３が被覆されている。芯材２の他方の表面は壁パネル１の裏面２ｂとして露出しているが、表面材３と同様のシート状の封止材４が被覆されていてもよい。
【００１２】
芯材２は、所定厚みの板状で断熱性と剛性を備えた適宜の材質のものを使用できるが、例えば図３に示すように樹脂やアルミ等からなるハニカム材や、発泡性樹脂からなる発泡材等の板材を使用できる。ハニカム材はハニカム構造体の表裏面に例えば樹脂製のシートが被着されている。
表面材３は例えば樹脂製やアルミ製等のシートからなり、デザイン性と防水性と耐久性を備えた化粧材とされている。表面材３は芯材２の表面だけでなく四辺の端部に設けられた厚み方向の側面２ｃも被覆して止水している。なお、芯材２と表面材３はパネル本体を構成する。
【００１３】
表面材３は芯材２の表面２ａと側面２ｃに溶着され、或いはシート状接着剤等を介して被覆固定されているが、裏面２ｂにも被覆されていてもよい。また、壁パネル１の裏面２ｂ上には対向する縦方向両側の端部に沿って例えば角柱棒状の補強フレーム６がそれぞれ連結されている。補強フレーム６は補強部材であり、例えばスチールやアルミ等の金属で形成することが好ましいが、芯材２よりも高強度な合成樹脂製等でもよい。本実施形態では、補強フレーム６は壁パネル１の端部の小口面１ａと面一に固定されている。
補強フレーム６は壁パネル１の四辺端部にそれぞれ設けてもよいし、或いは、対向する横方向の端部にのみ設けてもよい。壁パネル１はその裏面側に突出させて固定した補強フレーム６によって反りや歪み、熱による伸縮等を抑制する高い剛性を備えている。
【００１４】
次に、壁パネル１同士の連結構造について図２により説明する。壁パネル１同士を連結してユニットバスの壁面を形成する場合、隣り合う２枚の壁パネル１の小口面１ａ同士を当接させ、更に補強フレーム６の側面同士を当接させる。そして、互いに当接する補強フレーム６同士を貫通するようにねじ７を結合部材として締め込んで互いに連結する。
これによって、２枚の壁パネル１同士を互いに当接する補強フレーム６でねじ固定することができ、壁パネル１の表面側の表面材３同士が液密に接合される。なお、接合される表面材間に発泡止水材を入れて圧潰してもよいし、表面材を発泡形成して止水材を兼ねてもよい（図示せず）。
【００１５】
上述したように本第一実施形態による壁パネル１は、芯材２の表面２ａだけでなく側面２ｃも表面材３で被覆したため、防水効果が高い。また、壁パネル１の端部に補強フレーム６を固定したので補強効果が高く、壁パネル１の反りや歪み、熱による伸縮等を抑制できる。
しかも、壁パネル１の小口面１ａ同士を補強フレーム６と共に当接させて、補強フレーム６同士をねじ７によって連結したため、壁パネル１同士の連結強度が高く、当接部での止水性を確保できる。そのため、複数の壁パネル１を組み合わせることでユニットバスの壁面等に好適に採用できる。
【００１６】
なお、本発明による壁パネル１は上述した実施形態に限定されるものではなく、本発明の趣旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００１７】
次に本発明の第二実施形態による壁パネル１の連結構造を図４及び図５により説明する。
本第二実施形態において、壁パネル１は上述した第一実施形態によるものと同一の構成を備えている。そして、図４（ａ）、（ｂ）、図５（ａ）、（ｂ）に示すように、２枚の壁パネル１同士を接合する際に、結合部材としてねじ７に代えて板状で断面略コの字状の嵌合部材９を設置した。嵌合部材９は例えばスチールやアルミニウム等の金属製の高強度部材とする。嵌合部材９は、小口面１ａ同士が接合された２枚の壁パネル１の２つの補強フレーム６を嵌合して、ねじ止め固定したものである。
なお、図４（ｃ）、図５（ｃ）に示すように嵌合部材９はばね素材を用いてもよく、嵌合部材９を一方の補強フレーム６にねじ固定しておき、他方の壁パネル１の補強フレーム６を嵌合することで固定できる。
【００１８】
次に、壁パネル１の連結方法を図４及び図５により説明する。
図４（ａ）、（ｂ）において、一方の壁パネル１の補強フレーム６に嵌合部材９を取り付けて、嵌合部材９を補強フレーム６にねじ７で固定する。図４（ｂ）に示す例では補強フレーム６の二面にねじ７を捩じ込み固定したが、一面だけでもよい。また、図４（ｃ）に示すように、嵌合部材９をバネ素材として一方の壁パネル１の補強フレーム６にねじ固定してもよい。
次に、他方の壁パネル１を壁パネル１に直交する方向にスライドさせて、一方の壁パネル１の小口面１ａ及び補強フレーム６の側面に沿って他方の壁パネル１の補強フレーム６を嵌合部材９の隙間に嵌合させる（図５（ａ）、（ｂ）参照）。そして、他方の壁パネル１の嵌合部材９を通して補強フレーム６に１本または２本のねじ７を締め込み固定することで、２枚の壁パネル１同士を連結固定できる。
また、嵌合部材９をバネ素材とした場合には、図５（ｃ）に示すように、他方の壁パネル１の補強フレーム６に凸部６ａを形成しておき、これを一方の嵌合部材９の隙間に押し込むだけで嵌合できてばね性によって２つの補強フレーム６を連結固定できる。
【００１９】
上述のように本第二実施形態においても、嵌合部材９によって２枚の壁パネル１の補強フレーム６同士を当接させた状態で嵌合させ、ねじ７で固定できる。
【００２０】
次の本発明の第三実施形態による壁パネル１の連結構造を図６及び図７により説明する。本実施形態による壁パネル１Ａは、ハニカム材からなる芯材２と、芯材２の表面及び小口面を覆う表面材３とを備えている。しかも、図６において、壁パネル１Ａの裏面２ｂにおける長手方向両端部には断面略コの字状をなす金属製で凹部１１ｂを有する補強フレーム１１が設置されている。しかも、補強フレーム１１の凹部１１ｂは裏面２ｂに露出している。
そのため、補強フレーム１１は壁パネル１の裏面２ｂ側の芯材２の一部を切り欠いて埋設されている。ここで、壁パネル１の両端部は厚みが小さくなっているが、金属製で剛性と強度の高い補強フレーム１１が設置されているために壁パネル１の強度と剛性を向上でき、反りや歪み、熱伸縮等を抑制できる。本実施形態では、補強フレーム１１の外側の側壁部１１ａは壁パネル１の小口面１ａに露出して小口面１ａの一部を構成している。
【００２１】
本第三実施形態による壁パネル１Ａは上述した構成を備えているため、２枚の壁パネル１Ａ同士を連結させてユニットバス等の壁面を形成する場合、先ず、各壁パネル１Ａの小口面１ａ同士を突き合わせて当接させる。この状態で壁パネル１Ａの補強フレーム１１の側壁部１１ａ同士が面接触して当接する。そして、補強フレーム１１の凹部１１ｂ内で、ねじ７を互いに当接する２枚の側壁部１１ａに捩じ込んで固定する。なお、ねじ７は２枚の側壁部１１ａ同士を貫通した先端部にナットで締め込んで固定してもよい。
【００２２】
上述したように本第三実施形態による壁パネル１Ａは、補強フレーム１１が壁パネル１Ａの内部に埋め込まれているため、外部に露出しないで補強効果を発揮できる。また、壁パネル１Ａの連結構造において、補強フレーム１１の当接部となる側壁部１１ａ同士を凹部１１ｂ内でねじ７による固定を行うことができる。そのため、補強フレーム１１だけでなく、ねじ７が壁パネル１Ａの外部に露出しないため、邪魔にならないで高強度である上に外観上の見栄えがよいという利点がある。
【００２３】
つぎに本発明の第四実施形態による壁パネル１Ｂについて、図８により説明する。
図８（ａ）に示す壁パネル１は、芯材２の裏面２ｂ側端部に固定した補強フレーム６を壁パネル１の小口面１ａよりも外側に一部突出させて固定した。そのため、壁パネル１Ｂ同士を突き合わせる際に壁パネル１の小口面１ａに寸法誤差や形状誤差等があったとしても補強フレーム６同士で突き合わされているため、壁パネル１の誤差を吸収できる。そして、図８（ｂ）、（ｃ）に示すように、当接した補強フレーム６同士をねじ７で連結固定するか、嵌合部材９で嵌合してねじ７等で固定することができる。
しかも、小口面１ａ同士の隙間Ｋにコーキング等の目地材を塗布してシールできる。
【００２４】
次に、上述した各実施形態による壁パネル１の変形例について図９、図１０により説明する。
図９に示す壁パネル１では、表面と小口面１ａの角部に面取り部１７を設けた。これにより、両側の壁パネル１の小口面１ａ同士を突き合わせた際に各小口面１ａの厚み誤差等による段差があったとしても、面取り部１７で目立たなくさせることができる。しかも、壁パネル１の寸法誤差によって小口面１ａ同士の間に隙間Ｋが生じたとしても目立たないようにできる。
また、互いに当接する補強フレーム６同士の固定構造として、嵌合部材９を嵌合させた上に、ねじ７で締め込み固定してもよい。
【００２５】
なお、本発明による壁パネルは必ずしも一体の平板状でなくてもよく、適宜形状のものを採用できる。例えば図１０に示すように折り曲げ可能な壁パネル１Ｃでもよい。図１０（ａ）、（ｂ）において、この壁パネル１Ｃは２枚の芯材２の表裏面２ａ、２ｂ及び側面２ｃが表面材３と封止材４とで封止されており、２枚の芯材２の境目に溝部２０が形成されている。壁パネル１Ｃの裏面側の封止材４の両端部に補強フレーム６が固定されている。溝部２０の奥底側の表面材３上にヒンジ部２１が形成され、この壁パネル１Ｃはヒンジ部２１で表面材３を内側にして折り曲げ可能とされている。これによって溝部２０が広げられる。
そして、図１０（ｃ）に示すように、略直角に折り曲げた壁パネル１Ｃ同士の小口面１ａと補強フレーム６を当接させて、当接する２つの補強フレーム６をねじ７等で連結固定することで、ユニットバスの壁面を組立できる。
【００２６】
なお、上述した説明では、本発明の実施形態による壁パネル１、１Ａ、１Ｂはユニットバスの壁面を形成するためのものであるが、本発明による壁パネル１、１Ａ、１Ｂはユニットバスに限定されるものではなく、ユニットトイレやプレハブ住宅等の各種の閉空間ユニットに採用できる。
また、上述の実施形態や変形例では、壁パネル１、１Ａ、１Ｂの補強部材として角柱状の補強フレーム６または凹部１１ｂを有する補強フレーム１１を固定したが、補強部材は角柱状である必要はなく、円柱状や板状やパイプ状等、適宜の形状のものを壁パネル１、１Ａ、１Ｂの裏面２ｂに固定できる。
【符号の説明】
【００２７】
１、１Ａ、１Ｂ、１Ｃ  壁パネル
１ａ  小口面
２  芯材
３  表面材
６、１１  補強フレーム
７  ねじ
９  嵌合部材
１１ａ  側壁部
１１ｂ  凹部
【図１】
2018053528.tif 000003
【図２】
2018053528.tif 000004
【図３】
2018053528.tif 000005
【図４】
2018053528.tif 000006
【図５】
2018053528.tif 000007
【図６】
2018053528.tif 000008
【図７】
2018053528.tif 000009
【図８】
2018053528.tif 000010
【図９】
2018053528.tif 000011
【図１０】
2018053528.tif 000012